(57)【要約】【課題】マークシートは、マーク情報を電子化して保存可能とし、該保存情報を携帯端末等にて読み出し可能とし、従来の如く大掛かりな読取装置が不要とすること。【解決手段】マークシートにメモリ部を有するICチップを設け、該ICチップのメモリ部にマークシートのマーク情報（入力情報）を保存し、該保存情報を読取装置、例えば携帯電話等の端末により読取って該端末によりマークシート情報を管理する宝くじ等のサービス業者システムの装置に送信し、該サービス業者システムにて所定の処理を施した後、その結果を上記端末に返信することを可能とする。【選択図】  図１
2005326990.tif 000002
【特許請求の範囲】
【請求項１】
マークシート情報が入力保存される情報記憶部を有するICチップを搭載したマークシートであって、マークシートのマーク部をマークすることにより電気的に導通する回路を短絡し、マークによる情報を上記ICチップの情報記憶部及び該記憶部の記憶情報を外部からのアクセスにより読み出し、外部に送信する送信部を備えたマークシート。
【請求項２】
上記ICチップが、マークシートを識別するに足りるユニークＩＤ番号を記憶する記憶部を有した請求項1のマークシート。
【請求項３】
上記ＩＣチップが、可変の情報を保持する記憶部を有し、マークシートのマーク部を導電性の部材でマークした情報を格納する記憶部を有した請求項1及び請求項2のマークシート。
【請求項４】
マーク情報を保存可能なマークシートと、所望のサービスを実行するサービス実行部、データベースを有するサービス業者システムと、上記マークシートの保存情報を読取って上記サービス業者システムに送信し、又は上記サービス業者システムからの上記マークシート情報に基づくサービス結果を受信するマークシート情報読取り機能を有した携帯電話端末とからなるマークシートの情報処理システム。
【発明の詳細な説明】
【技術分野】
【０００１】
本発明は、マークシートの情報を処理するシステム及びそのマークシートに関するものである。装置において、入力装置として紙製のマークシートを使用しデータ入力を容易にするとともに、マークシートにICチップを搭載し、入力情報の保存を可能とするとともに、ユニークな番号をもつことで個体を識別することが可能なマークシートに関するものである。
【背景技術】
【０００２】
各種情報処理システムへの入力方法の一つとして、紙製カードの所定の場所に鉛筆等でマーキングをするマークシートを使用し、該マークシートの情報を光学的な読取装置で1枚づつ読取って処理する方法がある。
しかし、従来のマークシートは光学式の読取装置でマーク部分を読取るものであるためマークシートの大きさに依存した読取装置が必要であり、また読取装置は事務所、店舗等に備え付けとなっており、データ入力は読取装置のある場所まで出向く必要があった。また宝くじのような販売形態の場合には、購入者を特定することができない等の課題がある。
【０００３】
【特許文献１】特開平７−２８３９００号公報
【発明の開示】
【発明が解決しようとする課題】
【０００４】
解決しようとする課題点は、マークシートを光学的に読取る点にある。
【課題を解決するための手段】
【０００５】
マークシートにメモリ部を有するICチップを設け、該ICチップのメモリ部にマークシートのマーク情報（入力情報）を保存し、該保存情報を読取装置、例えば携帯電話等の端末により読取って該端末によりマークシート情報を管理する宝くじ等のサービス業者システムの装置に送信し、該サービス業者システムにて所定の処理を施した後、その結果を上記端末に返信することを可能とすることを特徴とする。
マークシートは、マーク部分をマークすることで回路が結線され、マーク情報が回路化されるようなマークシート構成とし、携帯端末等は、マークシートの大きさに依存しない非接触式の読取装置とする。またマークシートの内部には、ユニークＩＤをもつICチップ等を搭載することで、マークシートを識別可能とする。
本発明のマークシートは、マーク情報を電子化して保存可能とし、該保存情報を携帯端末等にて読み出し可能としているので、従来の如く大掛かりな読取装置が不要である。
本発明のマークシート情報処理システムは、マークシートに保存されたマーク情報を携帯端末等にていつでもどこでも必要なときにサービス業者システムに送信するため、その利用が簡便化できる。またマークシートにユニークIDを設け、該IDに対して個人情報をサービス業者システム側にて登録すれば、このマークシートを使用してデータを入力し続ける限り、入力したユーザの特定が可能になる。
【発明を実施するための最良の形態】
【０００６】
以下、図面を参照して説明する。図１は、本発明のマークシートを利用したマークシート情報の処理システムを示す図である。同図において、１0はマークシート、20はマークシート１のマーク情報を読取る読取装置を備えた、例えば携帯電話端末、30 は携帯電話の基地局、40は携帯電話局、50はインターネットなどの回路網、60はサービス業者システムを示し、該システムはマークシート１0の情報を携帯電話端末20等を介して送られてきたマーク情報およびID等の顧客情報を保存するデータベースを備えている。またサービス業者システムは、これらの情報を元に所望のサービスを実行するサービス実行部、例えば宝くじであればその当たり外れを確認し、その結果及び当選であればその当選金額等の情報を上記とは逆のルートにて携帯電話端末20に通知する機能を持たせてある。
図2は、マークシート１0の一実施例を示すものである。同図において、マークシート10は、メモリ部を有したICチップが搭載されており、該マークシートには入力する情報の元となる質問文等の文章が書かれた文章部2と情報を入力するためのマーク部3からなる。
図3は、マークシート10の構成を示す図である。同図において、マークシート１0には、マークシートを一意に識別できるユニークなID番号を保持する固定情報記憶部18と、マークすることによって入力された入力情報を保存する可変情報記憶部19と、記憶部の情報を送信するためにアンテナを含む送受信部17と、外部からの電磁波を受けて直流電源を発生させる電源部13と、クロック発生部15と、情報を入力するマーク部12と、マーク部及び記憶部にアクセスするメモリアクセス部16と、これらを制御するシート制御部14が設けられている。
図４は、マークシート10のマーク部12の断面図である。同図において、マークシート１0内には回線110が埋設されており、マークシート１の表面にはマーク部12が回線110をまたぐように形成されており、通常時に該マーク部にて回線110が断線するように構成されている。マークシート１0のマーク部12を導電性の部材、例えば伝導体である鉛筆2で塗りつぶすことにより回線110は接続され、これによって導通状態となる。
図5は、マークシート10の回路図である。同図において、アンテナを含む送受信部17は、外部の携帯電話端末20の読取装置からの電磁波を受け、電源部13により直流電源を得る。クロック発生部15は直流電源を得てクロックを発生させる。マーク部12がマークされていないと可変情報入力部16の電位は低く、マーク部12がマークされると可変情報入力部16の電位は高くなっており、クロック発生部15が発生したクロックにより可変情報記憶部19に高電位または低電位が記録される。可変情報記憶部19に記録された情報と固定情報記憶部18に記録されている情報はアンテナを含む送受信部17から外部の携帯電話端末20の読取装置に発信される。これらをシート制御部が制御している。
図6マークシート10の処理を説明する図である。アンテナ部17が読取装置からの電磁波を検知する（ステップ11）と、電源部13が直流電圧を発生させる（ステップ12）。メモリアクセス部16はマーク部12の情報を読取り（ステップ13）、該データを可変情報記憶部に書き込む（ステップ14）。メモリアクセス部16は固定情報記憶部18からユニークＩＤを読取り（ステップ15）、該データをアンテナ部から送信する（ステップ16）。
図7は読取装置付携帯電話20の構成を示す図である。ボタン等で操作をするため操作部21と、外部と通信するためのアンテナ22とマークシート10の電源となる電磁波を発生させる電磁波発生部23と、外部との通信処理を行う通信処理部24と、マークシート10から読みよったデータを保存するメモリ部25を搭載している。また通常の通話を行うためのディスプレイ26、とスピーカ27とマイク28を搭載している。
図8は読取装置付携帯電話20の処理を説明する図である。操作部で読取ボタンを押す、等の読取操作を行う（ステップ21）ことにより、電磁波発生部23が電磁波を発生させる（ステップ22）。マークシート20が発信したデータ（ユニークＩＤと入力情報）をアンテナ22で受信し（ステップ23）、該データをメモリ部25に一旦保存する（ステップ24）とともに、該データをアンテナからサービス業者システムに送信する（ステップ27）。また、メモリ部にマークシートから受信したデータが保存されている場合、マークシートがなくても、操作部で送信ボタンを押す、等の送信操作を行う（ステップ25）ことで、メモリ部25から記録されているデータが読み込まれ（ステップ26）、アンテナからサービス業者システムに送信する(ステップ27)操作が可能である。マークシートと送受信するデータにはユニークＩＤが含まれており、該ユニークＩＤからマークシートを識別することが可能なため同時に複数枚のマークシートを読取ることができる。
図9はサービス業者システム60の構成例を示す図である。インターネット等の外部ネットワークと接続するためのネットワーク接続部61と、データを送受信するための送受信部62と、サービス業務を処理する業務処理部63と、マークシートのユニークＩＤと顧客の氏名、住所、電話番号といった顧客情報を格納するための顧客情報データベース64と、マークシートを使って入力されたデータをユニークＩＤに関連付けて格納するための入力情報データベース65と、サービス業務の処理に使用される業務情報データベース66からなる。
図10はサービス業者システム60の処理例を示す図である。ネットワーク接続部61を経由してインターネット等からのデータを送受信部62が受信すると(ステップ61)、受信したユニークＩＤと入力データを入力情報データベース65に格納する(ステップ62)。該データを使用して業務処理を実行（ステップ63）した後、顧客に情報発信を行うかの判定を行う（ステップ64）。発信する必要がある場合、該データのユニークＩＤをキーとして顧客情報データベースから顧客情報を読込み（ステップ65）、ネットワーク経由で情報の発信を行う（ステップ66）。その後業務処理結果を業務情報データベース66に書き込む（ステップ67）。
図11は本発明のマークシート情報処理システムの処理を示す図である。読取装置付携帯電話20で読取を開始する（ステップ101）、マークシート10でマークした可変情報が読取られ（ステップ102）、固定情報とともに読取装置付携帯電話20に送信される（ステップ103）。読取装置付携帯電話20はマークシートの情報を受信（ステップ104）し、サービス業者システムに送信する（ステップ105）。サービス業者システム60はマークシート情報を受信する（ステップ106）と、入力情報データベース64に格納し（ステップ107）、業務処理を行う（ステップ108）。顧客に情報を送信する場合、顧客情報データベース64から顧客情報を読込み（ステップ109）情報発信を行う（ステップ110）。
以上の実施例によれば、マークシートと鉛筆を所有していればデータを入力することができ、読取装置付携帯電話等の携帯端末を用いることで、事務所、店舗等、読取装置のある場所までマークシートを持込む必要がなくなり、入力した情報を即時に送信することができる。また複数枚を束ねた状態で読取ることができるため、入力時間を大幅に短縮できる。
【図面の簡単な説明】
【０００７】
【図１】本発明のマークシート情報処理システムの構成図。
【図２】本発明のICチップを搭載したマークシートの使用例の説明図。
【図３】マークシートの構成図。
【図４】鉛筆でマークすることで回路を短絡させる説明図。
【図５】マークシートの回路図。
【図６】マークシートの処理説明図。
【図７】読取装置付携帯電話の構成図。
【図８】読取装置付携帯電話の処理説明図。
【図９】サービス業者システムの構成図。
【図１０】サービス業者システムの処理説明図。
【図１１】本発明のマークシート情報処理システムの処理説明図。
【符号の説明】
【０００８】
１０：ＩＣチップを搭載したマークシート
１１：入力する情報の元となる質問文等の文章が書かれた文章部
１２：情報を入力するためのマーク部
１３：外部からの電磁波を直流電源に変換する電源部
１４：マークシートを制御するシート制御部
１５：同期クロックを発生させるクロック回路部
１６：可変情報記憶部、固定情報記憶部、マーク部にアクセスするメモリアクセス部
１７：外部にデータを送信するアンテナ部
１８：マークシートを一意に特定できるユニークＩＤを格納する固定情報記憶部
１９：マークしたデータが格納される可変情報記憶部
２０：読取装置付携帯電話
２１：読取装置付携帯電話を操作する操作部
２２：アンテナ
２３：マークシートの電源となる電磁波を発生させる電磁波発生部
２４：マークシートおよびサービス業者との通信処理を行う通信処理部
２５：マークシートの固定情報および可変情報を格納するメモリ部
２６：ディスプレイ
２７：スピーカ
２８：マイク
３０：電話の基地局
４０：携帯電話局
５０：インターネット
６０：サービスを提供するサービス業者システム
６１：ネットワーク接続部
６２：携帯電話と送受信を行う送受信部
６３：サービスを実行する業務処理部
６４：顧客情報を格納する顧客情報データベース
６５：マークシートから入力された情報を格納する入力情報データベース
６６：業務処理を行った結果を格納する業務処理部
【図１】
2005326990.tif 000003
【図２】
2005326990.tif 000004
【図３】
2005326990.tif 000005
【図４】
2005326990.tif 000006
【図５】
2005326990.tif 000007
【図６】
2005326990.tif 000008
【図７】
2005326990.tif 000009
【図８】
2005326990.tif 000010
【図９】
2005326990.tif 000011
【図１０】
2005326990.tif 000012
【図１１】
2005326990.tif 000013